(57)【特許請求の範囲】
【請求項１】
絶縁ハウジングと、
該絶縁ハウジング内に配列配置され、配線板部材が上記絶縁ハウジング内に差し込まれたとき、差し込まれた配線板部材に設けられた複数の接続端子部に夫々対応する位置をとるものとされる複数のコンタクトと、
該複数のコンタクトに対して回動可能に設けられて第１の静止位置と第２の静止位置とを選択的にとり、上記配線板部材が上記絶縁ハウジング内に差し込まれたもとで、上記第１の静止位置から仮想回動軸線の周りを回動して上記第２の静止位置に移行するとき、上記複数のコンタクトの夫々に上記複数の接続端子部のうちの対応するものに対する押圧接触状態をとらせるアクチュエータと、
を備えて成り、
上記複数のコンタクトが、上記絶縁ハウジングにおける上記配線板部材が差し込まれる第１の端部または該第１の端部に対向する第２の端部から、上記複数のコンタクトの夫々が伸びる方向である上記絶縁ハウジングに対する上記配線板部材の差込みまたは抜出し方向に沿って、上記第２の端部または上記第１の端部に向けて上記絶縁ハウジング内に圧入され、上記絶縁ハウジングに対する上記複数のコンタクトの圧入量の調整によって、上記絶縁ハウジングにおける上記複数のコンタクトの、上記配線板部材の上記絶縁ハウジングへの差込みまたは抜出し方向の配置位置が調整されること、上記アクチュエータが上記複数のコンタクトの夫々に形成された係合支持部によって回動可能に支持されることにより上記絶縁ハウジングにおいて位置決めされること、及び、上記複数のコンタクトの夫々に形成された係合支持部によって回動可能に支持されたアクチュエータにおける上記仮想回動軸線から離隔した部位に第１の係合突起部が設けられるとともに、上記絶縁ハウジングにおける上記第１の係合突起部の回動軌跡上となる突端部分に第２の係合突起部が設けられ、上記アクチュエータの上記第１の静止位置から上記第２の静止位置への上記仮想回動軸線の周りの回動途中において、上記第１の係合突起部が上記第２の係合突起部に当接して該第２の係合突起部を乗り越えること、を特徴とするコネクタ装置。
【請求項２】
上記アクチュエータが、上記絶縁ハウジングにおける上記第２の端部側において、上記複数のコンタクトの夫々に形成された係合支持部によって支持されることを特徴とする請求項１記載のコネクタ装置。
【請求項３】
上記複数のコンタクトの夫々が、上記絶縁ハウジングにおける上記第２の端部側から上記第１の端部側に延び、該第１の端部側に上記複数の接続端子部のうちの対応するものに押圧接触する押圧接触部が形成され、上記第２の端部側に上記係合支持部が形成されたものとされることを特徴とする請求項２記載のコネクタ装置。
【請求項４】
上記アクチュエータがカム部が設けられたものとされ、上記複数のコンタクトの夫々に形成された上記係合支持部が上記カム部に係合することを特徴とする請求項３記載のコネクタ装置。
【請求項５】
上記アクチュエータにおける上記複数のコンタクトの配列方向の両端部に、脱落防止用突起が設けられ、上記絶縁ハウジングにおける上記脱落防止用突起に対応する位置に、該脱落防止用突起に係合して上記アクチュエータの脱落を阻止するための係合部が設けられることを特徴とする請求項１から請求項４までのいずれかに記載のコネクタ装置。
【発明の詳細な説明】
【技術分野】
【０００１】
本願の特許請求の範囲に記載された発明は、フレキシブル印刷配線基板（ＦＰＣ）等の配線板部材に設けられた接続端子部、あるいは、フレキシブルフラットケーブル（ＦＦＣ）に設けられた導体等を、他の電気部品である配線基板の配線部等に電気的に接続された状態とするためのコネクタ装置に関する。
【背景技術】
【０００２】
カメラ付携帯電話機等の電子機器に実装される、比較的小型なフレキシブル印刷配線基板は、各種の電気部品が取り付けられる主印刷配線基板への取付けが、当該主印刷配線基板に電気的接続がなされて固着されたコネクタ装置が用いられて行われるものとされることが多い。斯かるコネクタ装置は、フレキシブル印刷配線基板に設けられた接続端子部に接触する導電性のコンタクトを有していて、そのコンタクトを介して、フレキシブル印刷配線基板に設けられた接続端子部を主印刷配線基板の印刷配線部に電気的に接続する。
【０００３】
従来提案されているフレキシブル印刷配線基板の主印刷配線基板への取付けに用いられるコネクタ装置は、例えば、フレキシブル印刷配線基板が差し込まれる差込み部が設けられた絶縁ハウジングを有したものとされる。そして、その絶縁ハウジング内に配列配置されて設けられ、フレキシブル印刷配線基板が差込み部を通じて絶縁ハウジングに差し込まれるとき、そのフレキシブル印刷配線基板に設けられた複数の接続端子部に夫々対応するものとなる複数のコンタクトと、絶縁ハウジングに対して回動可能とされ、複数のコンタクトの夫々に係合して、回動せしめられるとき複数のコンタクトの夫々における作動部を変位させる、複数のコンタクトに共通のアクチュエータとが備えられる。
【０００４】
アクチュエータは、例えば、それに設けられた回動軸部の両端が絶縁ハウジングに設けられた軸受部に係合し、それによって絶縁ハウジングにより回動可能に支持されたものとされる。
【０００５】
また、複数のコンタクトの各々は、導電性の弾性材料で形成され、絶縁ハウジングに固定される部分である固定部と可動部分とを有するものされる。固定部は、主印刷配線基板に設けられた印刷配線部に電気的に接続され、一方、可動部分は、絶縁ハウジングにより回動可能に支持されたアクチュエータによって変位せしめられる作動部を構成する。
【０００６】
そして、絶縁ハウジングに差込み部を通じてフレキシブル印刷配線基板が差し込まれたもとで、アクチュエータが所定の方向に回動せしめられると、アクチュエータが、複数のコンタクトの夫々における作動部を変位させて、当該作動部にフレキシブル印刷配線基板に設けられた複数の接続端子部のうちの対応するものに対する押圧接触状態をとらせる。また、複数のコンタクトの各々における作動部がフレキシブル印刷配線基板に設けられた複数の接続端子部に夫々押圧接触する状態をとるもとで、アクチュエータが上述の所定の方向とは逆の方向に回動せしめられると、アクチュエータが、複数のコンタクトの夫々における作動部を変位させて、当該作動部をフレキシブル印刷配線基板に設けられた複数の接続端子部のうちの対応するものに対する押圧接触状態から解放する（例えば、特許文献１参照。）。
【０００７】
このような従来提案されているコネクタ装置にあっては、例えば、図１１及び図１２に示されるように、絶縁ハウジング１１に複数のコンタクト１２が配列配置されて設けられるとともに、アクチュエータ１３が設けられて構成される。アクチュエータ１３は、複数のコンタクト１２の配列方向（以下、コンタクト配列方向という。）に沿って伸びる細長いものとされ、そのコンタクト配列方向における両端部の夫々から外方に突出するものとして設けられた一対の回動軸部１３ａが、絶縁ハウジング１１に設けられた一対の軸受部１１ａに夫々係合するものとされる。それにより、アクチュエータ１３は、絶縁ハウジング１１によって、位置決めがされるとともに回動可能に支持されている。
【０００８】
また、アクチュエータ１３のコンタクト配列方向における両端部の夫々には、それから外方に突出する係合突起１４が設けられている。この、係合突起１４は、アクチュエータ１３の位置に応じて、絶縁ハウジング１１におけるコンタクト配列方向における両端部の夫々に設けられた係合部１５に係合する状態をとる。
【０００９】
さらに、絶縁ハウジング１１には、フレキシブル印刷配線基板２０の部分２０ａが差し込まれることになる基板差込口部１６が設けられている。フレキシブル印刷配線基板２０の部分２０ａには、複数の接続端子部２１が配列配置されている。
【００１０】
そして、先ず、アクチュエータ１３が、図１１及び図１２に示されるように、絶縁ハウジング１１に対して起き上がった状態とされる。このとき、アクチュエータ１３に設けられた係合突起１４は、図１１，図１３及び図１４に示されるように、絶縁ハウジング１１とは係合しない位置に置かれる。
【００１１】
続いて、例えば、図１５及び図１６に示されるように、フレキシブル印刷配線基板２０の部分２０ａが、絶縁ハウジング１１に、それに設けられた基板差込口部１６を通じて挿入され、その後、絶縁ハウジング１１に対して起き上がった状態にあるアクチュエータ１３が、回動軸部１３ａを回動中心として回動せしめられ、絶縁ハウジング１１に対して伏した状態（倒された状態）とされる。その際、アクチュエータ１３が、複数のコンタクト１２の夫々における作動部を変位させて、当該作動部にフレキシブル印刷配線基板２０の部分２０ａに配列配置された複数の接続端子部２１のうちの対応するものに対する押圧接触状態をとらせる。それにより、フレキシブル印刷配線基板２０の部分２０ａに配列配置された複数の接続端子部２１が、複数のコンタクト１２を通じて、複数のコンタクト１２に連結された他の配線基板上の配線部等（図示が省略されている。）に電気的に接続される。
【００１２】
アクチュエータ１３が、絶縁ハウジング１１に対して伏した状態（倒された状態）とされるときには、アクチュエータ１３に設けられた係合突起１４は、図１７に示されるように、絶縁ハウジング１１に設けられた係合部１５に係合する位置に置かれる。このように、アクチュエータ１３の回動に伴って、アクチュエータ１３に設けられた係合突起１４が絶縁ハウジング１１に設けられた係合部１５に係合する位置に置かれる際には、その直前において、アクチュエータ１３に設けられた係合突起１４が、絶縁ハウジング１１に設けられた係合部１５を形成する突出部１７に当接して当該突出部１７を乗り越えるものとされ、それにより、アクチュエータ１３を回動させて絶縁ハウジング１１に対して伏した状態（倒された状態）とするにあたってクリック感が得られることになる。
【００１３】
【特許文献１】特開平１１ー３０７１９８号公報（第２，３頁、図１，２）
【発明の開示】
【発明が解決しようとする課題】
【００１４】
上述のように、絶縁ハウジングに複数のコンタクトが配列配置されて設けられるとともに、アクチュエータが絶縁ハウジングに対して回動可能に設けられて構成され、アクチュエータが、例えば、コンタクト配列方向における両端部の夫々から外方に突出するものとして設けられた一対の回動軸部が絶縁ハウジングに設けられた一対の軸受部に夫々係合するものとされて、絶縁ハウジングによって、位置決めがされるとともに回動可能に支持されるものとされる、従来提案されているコネクタ装置にあっては、アクチュエータの絶縁ハウジングに対する位置の調整に困難をきたすという問題がある。
【００１５】
例えば、前述のように、絶縁ハウジングに対して起き上がった状態にあるアクチュエータを回動させて、アクチュエータに絶縁ハウジングに対して伏した状態（倒された状態）をとらせるに際し、アクチュエータを絶縁ハウジングに対して伏した状態（倒された状態）とするにあたってのクリック感が得られるようにするため、アクチュエータに設けられた係合突起が絶縁ハウジングに設けられた係合部に係合するものとされるが、斯かるアクチュエータに設けられた係合突起の絶縁ハウジングに設けられた係合部との係合が適正に行われて、好ましいクリック感が得られるようにするには、アクチュエータに設けられた係合突起と絶縁ハウジングに設けられた係合部との相対位置関係の調整が必要とされる。しかしながら、従来提案されているコネクタ装置の場合、係合突起を有するアクチュエータが係合部を有する絶縁ハウジングによって直接に位置決めされることになるので、コネクタ装置の組立て時に、アクチュエータに設けられた係合突起と絶縁ハウジングに設けられた係合部との相対位置関係を調整するということはできない。
【００１６】
そして、アクチュエータに設けられた係合突起と絶縁ハウジングに設けられた係合部との相対位置関係の調整には、アクチュエータについての成形型もしくは絶縁ハウジングについての成形型の調整が必要とされることになってしまう。このような成形型の調整は、多大な時間と費用とを要し、コネクタ装置についての製造効率を著しく低下させるという不都合をもたらす。
【００１７】
斯かる点に鑑み、本願の特許請求の範囲に記載された発明は、絶縁ハウジングに複数のコンタクトが配列配置されて設けられるとともに、アクチュエータが絶縁ハウジングに対して回動可能に設けられて構成されて、絶縁ハウジングに配線板部材が差し込まれたもとで、アクチュエータを回動させて特定の位置をとる状態とすることにより、複数のコンタクトの夫々に配線板部材に設けられた複数の接続端子部のうちの対応するものに対する押圧接触状態をとらせることができ、また、アクチュエータ及び絶縁ハウジングの夫々に相互係合部が設けられることにより、アクチュエータに特定の位置をとらせるにあたってクリック感が得られるコネクタ装置であって、アクチュエータ及び絶縁ハウジングの夫々に設けられる相互係合部の相対位置関係の調整を、簡単な構成をもって容易に行うことが可能とされることになるものを提供する。
【課題を解決するための手段】
【００１８】
本願の特許請求の範囲における請求項１から請求項５までのいずれかに記載された発明（以下、本発明という。）に係るコネクタ装置は、絶縁ハウジングと、絶縁ハウジング内に配列配置され、配線板部材が絶縁ハウジング内に差し込まれたとき、差し込まれた配線板部材に設けられた複数の接続端子部に夫々対応する位置をとるものとされる複数のコンタクトと、複数のコンタクトに対して回動可能に設けられて第１の静止位置と第２の静止位置とを選択的にとり、配線板部材が絶縁ハウジング内に差し込まれたもとで、第１の静止位置から仮想回動軸線の周りを回動して第２の静止位置に移行するとき、複数のコンタクトの夫々に複数の接続端子部のうちの対応するものに対する押圧接触状態をとらせるアクチュエータとを備えて成り、複数のコンタクトが、絶縁ハウジングにおける配線板部材が差し込まれる第１の端部または第１の端部に対向する第２の端部から、複数のコンタクトの夫々が伸びる方向である絶縁ハウジングに対する配線板部材の差込みまたは抜出し方向に沿って、第２の端部または第１の端部に向けて絶縁ハウジング内に圧入され、絶縁ハウジングに対する複数のコンタクトの圧入量の調整によって、絶縁ハウジングにおける複数のコンタクトの、配線板部材の絶縁ハウジングへの差込みまたは抜出し方向の配置位置が調整されること、アクチュエータが複数のコンタクトの夫々に形成された係合支持部によって回動可能に支持されることにより絶縁ハウジングにおいて位置決めされること、及び、複数のコンタクトの夫々に形成された係合支持部によって回動可能に支持されたアクチュエータにおける仮想回動軸線から離隔した部位に第１の係合突起部が設けられるとともに、絶縁ハウジングにおける第１の係合突起部の回動軌跡上となる突端部分に第２の係合突起部が設けられ、アクチュエータの第１の静止位置から第２の静止位置への仮想回動軸線の周りの回動途中において、第１の係合突起部が第２の係合突起部に当接して当該第２の係合突起部を乗り越えること、を特徴とするものとされる。
【００１９】
上述のように構成される本発明に係るコネクタ装置にあっては、複数のコンタクトが、絶縁ハウジングにおける配線板部材が差し込まれる第１の端部または第１の端部に対向する第２の端部から、複数のコンタクトの夫々が伸びる方向である絶縁ハウジングに対する配線板部材の差込みまたは抜出し方向に沿って、第２の端部または第１の端部に向けて絶縁ハウジング内に圧入され、絶縁ハウジングに対する圧入量の調整によって、絶縁ハウジングにおける配線板部材の絶縁ハウジングへの差込みまたは抜出し方向の配置位置が調整されるものとされ、また、アクチュエータが、複数のコンタクトの夫々に形成された係合支持部によって回動可能に支持されることにより絶縁ハウジングにおいて位置決めされて、複数のコンタクトに対して回動可能に設けられている。そして、絶縁ハウジングに、例えば、フレキシブル印刷配線基板とされる配線板部材が差し込まれたもとで、アクチュエータが、回動せしめられて、第１の静止位置から第２の静止位置へと移行すると、そのアクチュエータにより、絶縁ハウジング内に配置された複数のコンタクトの夫々が、絶縁ハウジング内に差し込まれた配線板部材に設けられた複数の接続端子部のうちの対応するものに対する押圧接触状態をとるものとされる。その際、アクチュエータの第１の静止位置から第２の静止位置への回動途中において、アクチュエータに設けられた第１の係合突起部が絶縁ハウジングに設けられた第２の係合突起部に当接してそれを乗り越え、その後アクチュエータが第２の静止位置に到達する。
【００２０】
複数のコンタクトの夫々に形成された係合支持部によって回動可能に支持されたアクチュエータに設けられた第１の係合突起部及び絶縁ハウジングに設けられた第２の係合突起部は、アクチュエータ及び絶縁ハウジングの夫々に設けられた相互係合部であり、アクチュエータの第１の静止位置から第２の静止位置への回動途中において第１の係合突起部が第２の係合突起部に当接してそれを乗り越えることにより、アクチュエータに第２の静止位置をとらせるにあたってクリック感が得られることになる。
【発明の効果】
【００２１】
上述の本発明に係るコネクタ装置にあっては、アクチュエータが複数のコンタクトの夫々に形成された係合支持部によって回動可能に支持されることにより絶縁ハウジングにおいて位置決めされるものとされるので、アクチュエータを位置決めする複数のコンタクトの絶縁ハウジングに対する配置位置を調整することにより、アクチュエータの絶縁ハウジングに対する位置を調整することができ、その結果、アクチュエータに設けられた第１の係合突起部と絶縁ハウジングに設けられた第２の係合突起部との相対位置関係の調整を行うことができる。そして、複数のコンタクトが、絶縁ハウジングにおける配線板部材が差し込まれる第１の端部または第１の端部に対向する第２の端部から、複数のコンタクトの夫々が伸びる方向である配線板部材の絶縁ハウジングへの差込みまたは抜出し方向に沿って、第２の端部または第１の端部に向けて絶縁ハウジング内に圧入されて、絶縁ハウジングに対する圧入量の調整によって、絶縁ハウジングにおける配線板部材の絶縁ハウジングへの差込みまたは抜出し方向の配置位置が調整されるものとされているので、アクチュエータを位置決めする複数のコンタクトの、配線板部材の絶縁ハウジングへの差込みまたは抜出し方向の配置位置の調整は、複数のコンタクトの絶縁ハウジングに対する圧入量を調整することによって容易に行うことができる。
【００２２】
従って、本発明に係るコネクタ装置によれば、絶縁ハウジングに配線板部材が差し込まれたもとで、第１の静止位置をとるアクチュエータを回動させて第２の静止位置をとらせることにより、複数のコンタクトの夫々に配線板部材に設けられた複数の接続端子部のうちの対応するものに対する押圧接触状態をとらせることができ、また、その際、アクチュエータに設けられた第１の係合突起部と絶縁ハウジングに設けられた第２の係合突起部とにより、アクチュエータに第２の静止位置をとらせるにあたってクリック感を得ることができるもとで、アクチュエータに設けられた第１の係合突起部と絶縁ハウジングに設けられた第２の係合突起部との相対位置関係の調整を、多大な時間と費用とを要することなく、また、コネクタ装置についての製造効率を低下させることなく、簡単な構成をもって容易に行うことができることになる。そして、このように、第１の係合突起部と第２の係合突起部との相対位置関係の調整を簡単な構成をもって容易に行うことができることにより、アクチュエータに第２の静止位置をとらせるにあたってのクリック感を、アクチュエータの操作者にとって好ましいものとするための調整を、確実に行うことができる。
【発明を実施するための最良の形態】
【００２３】
本発明を実施するための最良の形態は、以下に述べられる本発明についての実施例をもって説明される。
【実施例】
【００２４】
図１及び図２は、本発明に係るコネクタ装置の一例を、それに差し込まれる配線板部材とされるフレキシブル印刷配線基板の部分と共に示す。
【００２５】
図１及び図２において、本発明に係るコネクタ装置の一例を成すコネクタ装置３０は、合成樹脂等の絶縁材料によって形成された絶縁ハウジング３１を備えており、絶縁ハウジング３１には、配線板部材差込口部３２が設けられている。この絶縁ハウジング３１には、例えば、フレキシブル印刷配線基板４０の部分４１が、配線板部材を成すものとして、配線板部材差込口部３２を通じて、その内部に差し込まれる。
【００２６】
配線板部材差込口部３２を通じて絶縁ハウジング３１内に差し込まれるフレキシブル印刷配線基板４０の部分４１には、各々が短冊形を成すものとされた導電性材料で成る複数の接続端子部４２が、配列配置されて設けられている。複数の接続端子部４２の夫々は、図示が省略された、フレキシブル印刷配線基板４０に設けられた印刷配線部に連結されている。
【００２７】
コネクタ装置３０の絶縁ハウジング３１内には、複数のコンタクト３３が配列配置されて設けられている。複数のコンタクト３３は、各々が、絶縁ハウジング３１に対するフレキシブル印刷配線基板４０の部分４１の差込みまたは抜出し方向に沿う方向に伸びるものとされ、フレキシブル印刷配線基板４０の部分４１が配線板部材差込口部３２を通じて絶縁ハウジング１１内に差し込まれたとき、差し込まれたフレキシブル印刷配線基板４０の部分４１に配列配置された複数の接続端子部４２に夫々対応する位置をとるものとされる。
【００２８】
複数のコンタクト３３の夫々は、図２におけるIII −III 線断面をあらわす図３に示されるように、弾性を有した導電性材料で形成された、全体が「Ｈ」字状を成す板状部材とされている。斯かるコンタクト３３における、連結部５１によって相互連結された一対のビーム部５２及び５３のうち、ビーム部５２が固定部とされ、ビーム部５３が変位可能な作動部とされている。そして、固定部を成すビーム部５２は、その一端部５２ａが、コネクタ装置３０が固着された、図示が省略されている主基板に設けられた印刷配線部に接続され、その他端部５２ｂが、絶縁ハウジング３１に設けられた配線板部材差込口部３２の位置に置かれたものとされている。また、作動部を成すビーム部５３は、その一端部５３ａが、ビーム部５２の一端部５２ａに対して対向配置され、その他端部５３ｂが、ビーム部５２の他端部５２ｂに対して対向配置されたものとされている。
【００２９】
そして、フレキシブル印刷配線基板４０の部分４１が配線板部材差込口部３２を通じて絶縁ハウジング３１に差し込まれるときには、複数の接続端子部４２が配列配置されて設けられたフレキシブル印刷配線基板４０の部分４１が、絶縁ハウジング３１内において配列配置された複数のコンタクト３３の夫々におけるビーム部５２とビーム部５３との間に配される。その際、複数のコンタクト３３は、フレキシブル印刷配線基板４０の部分４１に設けられた複数の接続端子部４２に夫々対応するものとなる。
【００３０】
また、絶縁ハウジング３１には、その配線板部材差込口部３２が設けられた端部に対向する端部側に、アクチュエータ３５が複数のコンタクト３３に対して回動可能に備えられている。アクチュエータ３５は、絶縁ハウジング３１における複数のコンタクト３３の配列方向（以下、コンタクト配列方向という。）に伸びる細長い形状をしており、図３に示されるように、複数のコンタクト３３の夫々に対応する位置にカム部３６が設けられたものとされている。そして、複数のコンタクト３３の夫々におけるビーム部５２の一端部５２ａ側の部分とビーム部５３の一端部５３ａ側の部分とが、アクチュエータ３５に設けられたカム部３６に係合してそのカム部３６を挟持し、それによって、アクチュエータ３５の全体を回動可能に支持する係合支持部を形成している。このようにして、アクチュエータ３５は、複数のコンタクト３３の夫々に形成された係合支持部によって回動可能に支持されることにより、絶縁ハウジング３１において、複数のコンタクト３３によって位置決めされることになる。
【００３１】
複数のコンタクト３３は、絶縁ハウジング３１に、例えば、図３に示されるように、配線板部材差込口部３２が設けられた端部に対向する端部側から、複数のコンタクト３３の夫々が伸びる方向であるフレキシブル印刷配線基板４０の部分４１の絶縁ハウジング３１への差込みまたは抜出し方向に沿って、配線板部材差込口部３２が設けられた端部に向けて圧入されて配列配置される。それゆえ、複数のコンタクト３３の絶縁ハウジング３１におけるフレキシブル印刷配線基板４０の部分４１の絶縁ハウジング３１への差込みまたは抜出し方向の配置位置は、複数のコンタクト３３の絶縁ハウジング３１に対する圧入量の調整によって調整することができ、その結果、複数のコンタクト３３により位置決めされるアクチュエータ３５の、フレキシブル印刷配線基板４０の部分４１の絶縁ハウジング３１への差込みまたは抜出し方向の位置の調整を、複数のコンタクト３３の絶縁ハウジング３１に対する圧入量を調整することによって行うことができる。
【００３２】
アクチュエータ３５は、複数のコンタクト３３の夫々に形成された係合支持部によって回動可能に支持されたもとで、図１〜図４に示されるような、絶縁ハウジング３１に対して起き上がった位置となる第１の静止位置と、後述される図７〜図１０に示されるような、絶縁ハウジング３１に対して伏した位置となる第２の静止位置とをとる。そして、アクチュエータ３５に、それに設けられた複数のカム部３６を貫いてコンタクト配列方向に沿って伸びる仮想回動軸線３７（図３，図４）の周りを回動する状態をとらせる回動操作が加えられるとき、アクチュエータ３５が、第１の静止位置から第２の静止位置への移行、あるいは、第２の静止位置から第１の静止位置への移行を行うものとされる。
【００３３】
図１及び図３に示され、また、図４により明瞭に示されるように、アクチュエータ３５のコンタクト配列方向における両端部の夫々には、仮想回動軸線３７から離隔した部位に、係合突起部３８が設けられている。また、図１〜図４に示されるように、絶縁ハウジング３１における配線板部材差込口部３２が設けられた端部に対向する端部側のコンタクト配列方向における両端部の夫々には、アクチュエータ３５が仮想回動軸線３７の周りを回動する際におけるアクチュエータ３５に設けられた係合突起部３８の回動軌跡上となる突端部分に、係合突起部３９が設けられている。
【００３４】
そして、図５及び図６に示されるように、フレキシブル印刷配線基板４０の部分４１が絶縁ハウジング３１内に配線板部材差込口部３２を通じて差し込まれたもとで、アクチュエータ３５に仮想回動軸線３７の周りを回動する状態をとらせる回動操作が加えられて、アクチュエータ３５が第１の静止位置から第２の静止位置への移行、あるいは、第２の静止位置から第１の静止位置への移行を行うものとされるとき、その回動途中において、アクチュエータ３５に設けられた係合突起部３８が絶縁ハウジング３１に設けられた係合突起部３９を乗り越えて行く。それにより、アクチュエータ３５に仮想回動軸線３７の周りを回動する状態をとらせる回動操作中において、アクチュエータ３５に第２の静止位置をとらせるにあたってのクリック感、あるいは、アクチュエータ３５に第２の静止位置から離脱させるにあたってのクリック感が得られることになる。
【００３５】
図７〜図１０に示されるように、フレキシブル印刷配線基板４０の部分４１が絶縁ハウジング３１内に配線板部材差込口部３２を通じて差し込まれたもとで、アクチュエータ３５が、それに対する回動操作により回動せしめられて、第１の静止位置から第２の静止位置に移行すると、複数のコンタクト３３が、絶縁ハウジング３１内に差し込まれたフレキシブル印刷配線基板４０の部分４１に配列配置された複数の接続端子部４２に夫々押圧接触するものとされる。
【００３６】
斯かる際においては、先ず、アクチュエータ３５が第１の静止位置をとるもとにおいて、フレキシブル印刷配線基板４０の部分４１が絶縁ハウジング３１内に配線板部材差込口部３２を通じて差し込まれる。絶縁ハウジング３１内に差し込まれたフレキシブル印刷配線基板４０の部分４１は、絶縁ハウジング３１内に配列配置された複数のコンタクト３３に対して、複数のコンタクト３３の夫々のビーム部５２の他端部５２ｂとビーム部５３の他端部５３ｂとにより挟まれる位置におかれる。
【００３７】
続いて、第１の静止位置をとるアクチュエータ３５が、回動操作により、第１の静止位置から第２の静止位置に移行すべく回動せしめられる。斯かるアクチュエータ３５の第１の静止位置から第２の静止位置に移行する回動に伴って、アクチュエータ３５に設けられた複数のカム部３６の夫々が、アクチュエータ３５の回動に伴って極大寸法部の方向を変化させていき、それを挟持する係合支持部を形成する複数のコンタクト３３の夫々におけるビーム部５２の一端部５２ａ側の部分とビーム部５３の一端部５３ａ側の部分のうちの、ビーム部５３の一端部５３ａ側の部分を、ビーム部５２の一端部５２ａ側の部分から遠ざける方向に変位させる。
【００３８】
このようにしてカム部３６によりもたらされる、ビーム部５３の一端部５３ａ側の部分についてのビーム部５２の一端部５２ａ側の部分から遠ざける方向の変位は、複数のコンタクト３３の夫々に、フレキシブル印刷配線基板４０の部分４１に設けられた複数の接続端子部４２のうちの対応するものに対する押圧接触状態をとらせる。斯かる複数のコンタクト３３の夫々の対応する接続端子部４２に対する押圧接触状態は、複数のコンタクト３３の夫々におけるビーム部５３の他端部５３ｂが接続端子部４２に押圧当接せしめられ、それによって、接続端子部４２が設けられたフレキシブル印刷配線基板４０の部分４１が、ビーム部５２の他端部５２ｂとビーム部５３の他端部５３ｂとにより挟持されることによりとられる。
【００３９】
そして、回動操作されたアクチュエータ３５が第２の静止位置をとるものとされると、図１０に示されるように、複数のカム部３６の夫々が、コンタクト３３の夫々におけるビーム部５３の一端部５３ａ側の部分をビーム部５２の一端部５２ａ側の部分から遠ざかった位置に維持する。それにより、コンタクト３３の夫々におけるビーム部５３の他端部５３ｂが接続端子部４２に押圧当接せしめられて、接続端子部４２が設けられたフレキシブル印刷配線基板４０の部分４１が、ビーム部５２の他端部５２ｂとビーム部５３の他端部５３ｂとにより挟持される状態、即ち、複数のコンタクト３３の夫々についての、フレキシブル印刷配線基板４０の部分４１に設けられた複数の接続端子部４２のうちの対応するものに対する押圧接触状態が維持される。
【００４０】
図１０に示されるように、フレキシブル印刷配線基板４０の部分４１が絶縁ハウジング３１内に配線板部材差込口部３２を通じて差し込まれたもとで第２の静止位置をとるものとされたアクチュエータ３５は、必要に応じて、回動操作により第２の静止位置から第１の静止位置に移行すべく回動せしめられる。斯かる際の回動操作は、勿論、第１の静止位置から第２の静止位置に移行すべく回動せしめられるときの回動操作とは逆方向のものとされる。
【００４１】
斯かるアクチュエータ３５の第２の静止位置から第１の静止位置に移行する回動に伴って、アクチュエータ３５に設けられた複数のカム部３６の夫々が、アクチュエータ３５の回動に伴って極大寸法部の方向を変化させていき、それを挟持する係合支持部を形成する複数のコンタクト３３の夫々におけるビーム部５２の一端部５２ａ側の部分とビーム部５３の一端部５３ａ側の部分のうちの、ビーム部５３の一端部５３ａ側の部分に、それが有する弾性力によって、ビーム部５２の一端部５２ａ側の部分に近づく方向に変位することを許すものとなる。
【００４２】
このようにしてカム部３６によりもたらされる、ビーム部５３の一端部５３ａ側の部分についてのビーム部５２の一端部５２ａ側の部分に近づく方向の変位は、複数のコンタクト３３の夫々を、フレキシブル印刷配線基板４０の部分４１に設けられた複数の接続端子部４２のうちの対応するものに対する押圧接触状態から解放する。斯かる解放は、複数のコンタクト３３の夫々におけるビーム部５３の他端部５３ｂが、接続端子部４２に押圧当接する状態から解放されることにより行われる。
【００４３】
また、アクチュエータ３５のコンタクト配列方向における両端部の夫々には、図８においては実線により示され、図３〜図６，９及び図１０においては破線により示されるように、それから外方に突出する脱落防止用突起５５が設けられている。この脱落防止用突起５５は、それをアクチュエータ３５についての仮想回動軸線３７が貫通する位置に置かれている。
【００４４】
さらに、絶縁ハウジング３１における配線板部材差込口部３２が設けられた端部に対向する端部側のコンタクト配列方向における両端部の夫々には、アクチュエータ３５に設けられた脱落防止用突起５５に対応する位置に、脱落防止用突起５５に係合して、アクチュエータ３５の絶縁ハウジング３１からの脱落を阻止するための係合部５６が設けられている。この絶縁ハウジング３１に設けられた係合部５６は、通常時にあっては、アクチュエータ３５に設けられた脱落防止用突起５５とは係合しない、もしくは、軽度に接触する状態におかれ、アクチュエータ３５が絶縁ハウジング３１から脱落する虞が生じたとき、アクチュエータ３５に設けられた脱落防止用突起５５に本格的に係合して、アクチュエータ３５の絶縁ハウジング３１からの脱落を阻止する。
【００４５】
上述の本発明に係るコネクタ装置の一例にあっては、絶縁ハウジング３１にフレキシブル印刷配線基板４０の部分４１が差し込まれたもとで、第１の静止位置をとるアクチュエータ３５を回動させて第２の静止位置をとらせることにより、複数のコンタクト３３の夫々にフレキシブル印刷配線基板４０の部分４１に設けられた複数の接続端子部４２のうちの対応するものに対する押圧接触状態をとらせることができ、その際、アクチュエータ３５の回動途中で、アクチュエータ３５に設けられた係合突起部３８が絶縁ハウジング３１に設けられた係合突起部３９を乗り越えて行くことにより、アクチュエータ３５に第２の静止位置をとらせるにあたってクリック感を得ることができる。
【００４６】
また、上述の本発明に係るコネクタ装置の一例にあっては、アクチュエータ３５が複数のコンタクト３３によって位置決めされるものとされるので、アクチュエータ３５を位置決めする複数のコンタクト３３の絶縁ハウジング３１に対する配置位置を調整することにより、アクチュエータ３５の絶縁ハウジング３１に対する位置を調整することができ、その結果、アクチュエータ３５に設けられた係合突起部３８と絶縁ハウジング３１に設けられた係合突起部３９との相対位置関係の調整を行うことができる。複数のコンタクト３３は、絶縁ハウジング３１に圧入されて配列配置されるので、アクチュエータ３５を位置決めする複数のコンタクト３３の絶縁ハウジング３１に対する配置位置の調整は、複数のコンタクト３３の絶縁ハウジング３１に対する圧入量を調整することによって容易に行うことができる。
【００４７】
従って、アクチュエータ３５に設けられた係合突起部３８と絶縁ハウジング３１に設けられた係合突起部３９との相対位置関係の調整を、多大な時間と費用とを要することなく、また、コネクタ装置３０についての製造効率を低下させることなく、簡単な構成をもって容易に行うことができることになる。そして、このように、係合突起部３８と係合突起部３９との相対位置関係の調整を簡単な構成をもって容易に行うことができることにより、アクチュエータ３５に第２の静止位置をとらせるにあたってのクリック感を、アクチュエータ３５の操作者にとって好ましいものとするための調整を、確実に行うことができる。
【００４８】
なお、上述の例にあっては、アクチュエータ３５が、絶縁ハウジング３１における配線板部材差込口部３２が設けられた端部に対向する端部側に備えられているが、アクチュエータ３５は、絶縁ハウジング３１における配線板部材差込口部３２が設けられた端部側に備えられるものとされる場合も考えられる。また、上述の例にあっては、複数のコンタクト３３が、絶縁ハウジング３１に、例えば、配線板部材差込口部３２が設けられた端部に対向する端部側から配線板部材差込口部３２が設けられた端部に向けて圧入されるものとされているが、複数のコンタクト３３は、絶縁ハウジング３１に、配線板部材差込口部３２が設けられた端部側から配線板部材差込口部３２が設けられた端部に対向する端部に向けて圧入されるものとされる場合も考えられる。さらに、上述の例における複数のコンタクト３３によるアクチュエータ３５の支持態様は、一つの具体例であって、本発明に係るコネクタ装置における複数のコンタクトによるアクチュエータの支持態様は、斯かる例に限られるものではない。
【産業上の利用可能性】
【００４９】
以上のような本発明に係るコネクタ装置は、例えば、フレキシブル印刷配線基板の主印刷配線基板への取付けに用いられる、複数のコンタクトとそれらに係合し、回動操作されるとき複数のコンタクトの夫々における作動部を変位させるアクチュエータとを備えたコネクタ装置であって、アクチュエータの操作性及び操作感の調整を容易に行えることになるものとして、様々な電子機器等に広く適用され得るものである。
【図面の簡単な説明】
【００５０】
【図１】本発明に係るコネクタ装置の一例を、それに差し込まれるフレキシブル印刷配線基板の部分と共に示す斜視図である。
【図２】本発明に係るコネクタ装置の一例を、それに差し込まれるフレキシブル印刷配線基板の部分と共に示す平面図である。
【図３】図２におけるIII −III 線断面を示す断面図である。
【図４】図１及び図２に示される例の構成及び動作の説明に供される側面図である。
【図５】図１及び図２に示される例の構成及び動作の説明に供される側面図である。
【図６】図１及び図２に示される例の構成及び動作の説明に供される断面図である。
【図７】図１及び図２に示される本発明に係るコネクタ装置の一例に図１及び図２に示されるフレキシブル印刷配線基板が差し込まれ、アクチュエータが回動操作された状態を示す斜視図である。
【図８】図１及び図２に示される本発明に係るコネクタ装置の一例に図１及び図２に示されるフレキシブル印刷配線基板が差し込まれ、アクチュエータが回動操作された状態を示す平面図である。
【図９】図１及び図２に示される本発明に係るコネクタ装置の一例に図１及び図２に示されるフレキシブル印刷配線基板が差し込まれ、アクチュエータが回動操作された状態を示す側面図である。
【図１０】図１及び図２に示される本発明に係るコネクタ装置の一例に図１及び図２に示されるフレキシブル印刷配線基板が差し込まれ、アクチュエータが回動操作された状態を示す断面図である。
【図１１】従来のコネクタ装置の一例を、それに差し込まれるフレキシブル印刷配線基板の一部と共に示す斜視図である。
【図１２】従来のコネクタ装置の一例を、それに差し込まれるフレキシブル印刷配線基板の一部と共に示す平面図である。
【図１３】図１１及び図１２に示される従来のコネクタ装置の一例の構成及び動作の説明に供される側面図である。
【図１４】図１１及び図１２に示される従来のコネクタ装置の一例の構成及び動作の説明に供される背面図である。
【図１５】図１１及び図１２に示される従来のコネクタ装置の一例に図１１及び図１２に示されるフレキシブル印刷配線基板が差し込まれ、アクチュエータが回動操作された状態を示す平面図である。
【図１６】図１１及び図１２に示される従来のコネクタ装置の一例に図１１及び図１２に示されるフレキシブル印刷配線基板が差し込まれ、アクチュエータが回動操作された状態を示す側面図である。
【図１７】図１１及び図１２に示される従来のコネクタ装置の一例に図１１及び図１２に示されるフレキシブル印刷配線基板が差し込まれ、アクチュエータが回動操作された状態を示す背面図である。
【符号の説明】
【００５１】
３０・・・コネクタ装置，  ３１・・・絶縁ハウジングクタ，  ３２・・・配線板部材差込口部，  ３３・・・コンタクト，  ３５・・・アクチュエータ，  ３６・・・カム部，  ３７・・・仮想回動軸線，  ３８，３９・・・係合突起部，  ４０・・・フレキシブル印刷配線基板，  ４２・・・接続端子部，  ５１・・・連結部，  ５２，５３・・・ビーム部，  ５５・・・脱落防止用突起，  ５６・・・係合部
【図１】
0004822259.tif 000002
【図２】
0004822259.tif 000003
【図３】
0004822259.tif 000004
【図４】
0004822259.tif 000005
【図５】
0004822259.tif 000006
【図６】
0004822259.tif 000007
【図７】
0004822259.tif 000008
【図８】
0004822259.tif 000009
【図９】
0004822259.tif 000010
【図１０】
0004822259.tif 000011
【図１１】
0004822259.tif 000012
【図１２】
0004822259.tif 000013
【図１３】
0004822259.tif 000014
【図１４】
0004822259.tif 000015
【図１５】
0004822259.tif 000016
【図１６】
0004822259.tif 000017
【図１７】
0004822259.tif 000018